【事件の表示】
　特願２００４−１４８１２９「遊技媒体貸出装置」拒絶査定不服審判事件〔平成１７年１２月　２日出願公開、特開２００５−３２８９１２〕について、次のとおり審決する。
【結　論】
　本件審判の請求は、成り立たない。
【理　由】
第一．手続の経緯
　本願は、平成１６年５月１８日の出願であって、最初の拒絶理由通知に対応して平成２１年１２月７日に手続補正書が提出され、最後の拒絶理由通知に対応して平成２２年５月１７日に手続補正書が提出され、その後なされた拒絶査定に対し、同年９月３０日に拒絶査定不服審判が請求されるとともに、手続補正がなされた。
　審判合議体は、平成２２年１１月１７日付けで審査官による前置報告書の内容を添付して審尋を行い、請求人から平成２３年１月２０日に回答書が提出された。
　そして、審判合議体によって、同年６月１６日付けで平成２２年９月３０日の手続補正が却下されるとともに拒絶理由が通知され、これに対して平成２３年８月２２日に手続補正がなされた。
　
第二．本願発明
　本願の請求項１に係る発明（以下「本願発明」という。）は、平成２３年８月２２日付け手続補正書の特許請求の範囲の請求項１に記載された事項により特定される、以下のとおりのものである。
「　遊技媒体の貸出処理毎に抽選を行うことができる遊技媒体貸出装置であって、
　選択操作部および表示部を有する操作面と、
　時刻を確認する時計手段と、
　遊技媒体を貸し出す基本数量分に抽選の当たりに対応しておまけとして追加して払い出す遊技媒体の数量の入力を受け付ける数量設定手段と、
　時間帯別の当選確率の入力を事前に受け付ける当選確率設定手段と、
　前記数量設定手段で設定された遊技媒体の数量、および前記当選確率設定手段で設定された時間帯別の当選確率を記憶する記憶手段と、
　前記選択操作部の操作により基本数量分の遊技媒体の払い出しを開始させるとともに、前記時計手段によって現在時刻を確認し、現在時刻の時間帯に対応する当選確率を特定し、当該当選確率に基づいて抽選を開始させ、抽選中は前記表示部で抽選中であることを表示させ、基本数量分の遊技媒体の払い出しを完了した後に、抽選結果を確認し、前記表示部で抽選結果を表示させ、当選の場合には前記数量設定手段によって設定された数量の遊技媒体を追加して払い出させる制御手段と
　を具備していることを特徴とする遊技媒体貸出装置。」
　
第三．特許要件（特許法第２９条第２項）の検討
１．引用刊行物記載事項
　審判合議体が通知した拒絶理由に引用された特開２０００−８４２２８号公報（以下「引用文献Ａ」という。）には以下の事項が記載されている。
　
【請求項１】弾球遊技機用の遊技球、または回胴式遊技機用のメダルのいずれかである遊技媒体を貸し出す遊技媒体貸出装置において、あらかじめ定められた条件が満たされていない場合は、標準的な貸出単価で前記遊技媒体を貸し出す一方、前記条件が満たされている場合は、標準的な貸出単価よりも低い貸出単価で前記遊技媒体を貸し出す貸出単価変更手段を備えたことを特徴とする遊技媒体貸出装置。
【請求項２】前記貸出単価変更手段として、あらかじめ定められた条件が満たされていない場合は、標準的な数量の前記遊技媒体を貸し出す一方、前記条件が満たされている場合は、標準的な数量よりも増量された数量の前記遊技媒体を貸し出す貸出数量変更手段を備えたことを特徴とする請求項１に記載の遊技媒体貸出装置。
【請求項３】月、日、曜日、および時間帯の中から選ばれる１または２以上の項目によって規定される日時条件について、前記遊技媒体の貸出の時点が、あらかじめ選定されている前記日時条件と一致することを、前記条件の一つとすることを特徴とする請求項１または請求項２に記載の遊技媒体貸出装置。
【請求項４】前記遊技媒体の貸出の時点で無作為に発生させた乱数が、あらかじめ選定されている数値と一致することを、前記条件の一つとすることを特徴とする請求項１ま〜請求項３のいずれかに記載の遊技媒体貸出装置。
【０００８】そこで、請求項２に記載の遊技媒体貸出装置は、前記貸出単価変更手段として、あらかじめ定められた条件が満たされていない場合は、標準的な数量の前記遊技媒体を貸し出す一方、前記条件が満たされている場合は、標準的な数量よりも増量された数量の前記遊技媒体を貸し出す貸出数量変更手段を備えたことを特徴とする。
【００１０】次に、標準的な貸出単価よりも低い貸出単価で遊技媒体を貸し出す場合の具体的な条件について説明する。まず、請求項３に記載の遊技媒体貸出装置は、月、日、曜日、および時間帯の中から選ばれる１または２以上の項目によって規定される日時条件について、前記遊技媒体の貸出の時点が、あらかじめ選定されている前記日時条件と一致することを、前記条件の一つとすることを特徴とする。
【００１１】このような遊技媒体貸出装置において、あらかじめ選定されている日時条件は、通常、事前に遊技場の管理者によって入力装置から入力されて、不揮発性のメモリや磁気記憶装置などのデータ記憶手段に記憶される。また、遊技媒体の貸出の時点における日時条件は、日付や時間を管理するタイマーなどの計時手段からその都度取得される。そして、これら二つの日時条件が一致することを、条件の一つとして、標準的な貸出単価よりも低い貸出単価で遊技媒体を貸し出す。
【００１２】したがって、この遊技媒体貸出装置によれば、例えば、集客率が低くなる曜日や時間帯を選んで、標準的な貸出単価よりも低い貸出単価で遊技媒体を貸し出すことにより、集客率の向上を図ることができる。・・・
【００１３】次に、請求項４に記載の遊技媒体貸出装置は、前記遊技媒体の貸出の時点で無作為に発生させた乱数が、あらかじめ選定されている数値と一致することを、前記条件の一つとすることを特徴とする。
【００１４】このような遊技媒体貸出装置において、遊技媒体の貸出の時点で無作為に発生させる乱数は、周知の乱数発生器によって発生させればよく、また厳密な意味での乱数でなくても、概ね乱数と見なせるような値であればよい。また、あらかじめ選定されている数値は、事前に遊技場の管理者によって入力装置から入力されて、不揮発性のメモリや磁気記憶装置などのデータ記憶手段に記憶されてもよいし、この遊技媒体貸出装置においてあらかじめ用意された固有の値であってもよく、さらに、１つの数値であっても２以上の数値であってもよい。そして、これらの乱数と数値が一致することを、条件の一つとして、標準的な貸出単価よりも低い貸出単価で遊技媒体を貸し出す。
【００２９】図１に示すように、玉貸機１は、その正面側に表示装置３を備えている。表示装置３は、プラズマディスプレイパネルによって構成されていて、貸し出した遊技球の数量や、「貸出中」といった動作状態を表す文字を表示可能となっている。
【００３７】ここで、増量サービスとは、投入された料金１０００円に対し、標準的な数量［本実施形態では、２５０個（貸出単価：４円／１個）］よりも増量された遊技球を貸し出すサービスのことで、この玉貸機１において、増量サービスを行う場合は（Ｓ１２０：ＹＥＳ）、投入金額１０００円に対して４００個（貸出単価：２．５円／１個）の遊技球を貸し出して（Ｓ１３０）、本処理を終える。一方、増量サービスを行わない場合は（Ｓ１２０：ＮＯ）、標準的な数量である２５０個（貸出単価：４円／１個）の遊技球を貸し出して（Ｓ１４０）、本処理を終える。
【００３９】あるいは、例えば、遊技球の貸出の時点で無作為に発生させた乱数が、あらかじめ選定されている当たり番号になったら増量サービスを行うようにしてもよい。より具体的には、例えば、表示装置３に３桁の数字からなる乱数を表示して、その値が「７７７」となった場合に、増量サービスを行うといったものとする。また、乱数自体を数値で表示しなくても、内部的に乱数を使った処理を行い、外見的には表示装置３上において当たりはずれがわかる表示を行うだけとしてもよい。こうすれば、増量サービスを受けることになるか否かが、きわめて偶然性に富んだものとなるので、ゲーム感覚で遊技媒体貸出装置を楽しく利用できるようになる。
【００５０】加えて、上記実施形態では、増量サービスを行うか否かの２通りにしか判断を分けていないが、増量する程度を２〜３通りに変えて、例えば、標準、小当たり、中当たり、大当たりといった多段階の増量サービスを行うようにしてもよい。
　
　上記の請求項のうち、【請求項３】を引用した【請求項４】を特定する事項に基づくと、引用文献Ａには以下の発明（以下、「引用発明」という）が記載されていると認められる。
「　遊技媒体の貸出の時点における日時条件を計時手段からその都度取得し、該取得した日時条件と、あらかじめ選定されている時間帯が一致すること、及び前記遊技媒体の貸出の時点で無作為に発生させる乱数と、あらかじめ選定されている数値が一致することを条件として、標準的な貸出単価よりも低い貸出単価で遊技媒体を貸し出す遊技媒体貸出装置であって、
　表示装置３を備え、
　投入された料金に対し、貸し出す遊技球の数量として、標準的な数量と標準的な数量よりも増量された数量があり、増量する程度を２〜３通りに変えてもよく、
　前記あらかじめ選定されている数値及びあらかじめ選定されている時間帯は、事前に遊技場の管理者によって入力装置から入力されて、データ記憶手段に記憶され、
　前記表示装置３は、貸し出した遊技球の数量や、動作状態を表す文字を表示可能となっており、前記遊技媒体の貸出の時点における前記条件が満たされているかいないかがわかる表示を行い、
　前記条件が満たされていない場合は、標準的な数量の遊技媒体を貸し出す一方、前記条件が満たされている場合は、前記標準的な数量よりも増量された数量の遊技媒体を貸し出す貸出数量変更手段を備えている遊技媒体貸出装置。」
　
２．引用発明と本願発明との対比
　そこで、本願発明と引用発明とを比較すると、
　引用発明の「表示装置３」は、本願発明の「表示部」に相当し、以下同様に、
「標準的な数量」は「基本数量分」に、
「貸し出す」は「払い出させる」に、
「備えている」は「具備している」に、それぞれ相当する。
　さらに、引用文献Ａの記載や図面等からみて、以下のことがいえる。
　
ａ．引用発明において「無作為に発生させる乱数と、あらかじめ選定されている数値が一致することを条件の一つ」としていることは、乱数による抽選の当たり外れを条件の一つとしていることと言い換えることができる。
　そして、遊技媒体の貸出の時点で発生させた乱数を用いていることから、乱数による抽選は遊技媒体の貸出処理毎に行われているものといえる。
　そうすると、引用発明の「遊技媒体貸出装置」は、本願発明の「遊技媒体の貸出処理毎に抽選を行うことができる遊技媒体貸出装置」に相当するものということができる。
　
ｂ．引用発明の「計時手段」は、日時条件を取得するためのものであって時刻を確認できることが明らかであるから、本願発明の「時刻を確認する時計手段」に相当するものといえる。
　
ｃ．引用発明において「標準的な数量よりも増量された数量」を貸し出すのは、上記ａ．で述べたように、乱数による抽選の当たり外れを条件の一つとしているとともに、引用発明の「標準的な数量よりも増量された数量」は、本願発明の「基本数量分」と「おまけとして付加して払い出す遊技媒体の数量」とを足したものに相当し、引用発明にその「増量された数量」を設定している何らかの手段があることは明らかであるから、引用発明と本願発明は“抽選の当たりに対応して払い出す遊技媒体の数量についての設定手段”を具備している点で共通しているといえる。
　
ｄ．引用発明の「無作為に発生させる乱数」が所定の範囲内のものであることはいうまでもないので、あらかじめ選定されている数値の数によって、その一致確率（本願発明の「当選確率」に相当）が決まることは明らかである。
　そして、あらかじめ選定されている数値は、事前に遊技場の管理者によって入力装置から入力されて、データ記憶手段に記憶されるのであるから、当選確率が時間帯別に設定又は記憶されることを除けば、引用発明の「入力装置」及び「データ記憶手段」は、それぞれ本願発明の「当選確率の入力を事前に受け付ける当選確率設定手段」及び「当選確率を記憶する記憶手段」に相当するものといえる。
　さらに、上記ｃ．で述べたように、引用発明には、入力を受け付ける点は別として、「標準的な数量よりも増量された数量」を設定している何らかの手段があることは明らかであるから、引用発明は当然その数量を記憶する記憶手段を有している。
　そうしてみると、引用発明と本願発明は“当選確率の入力を事前に受け付ける確率設定手段と、抽選の当たりに対応して払い出す遊技媒体の数量、および前記確率設定手段で設定された当選確率を記憶する手段”を具備している点で共通しているといえる。
　
ｅ．引用発明において「前記遊技媒体の貸出の時点における日時条件を計時手段からその都度取得」することは、本願発明において「前記時計手段によって現在時刻を確認」することに相当する。
　また、引用発明は、取得した日時条件（本願発明の「現在時刻」に相当）があらかじめ選定されている時間帯である場合に、乱数と、あらかじめ選定されている数値が一致するか否かの判定（本願発明の「抽選」に相当）を開始させるものといえる。
　さらに、引用発明の「表示装置３」は、遊技媒体の貸出の時点における前記条件が満たされているかいないか（本願発明の「抽選結果」に相当）がわかる表示を行っているから、引用発明が「前記条件が満たされているかいないか」を確認していることも明らかである。
　そうすると、引用発明と本願発明は、“前記時計手段によって現在時刻を確認し、抽選を開始させ、その後抽選結果を確認し、前記表示部で抽選結果を表示させ”ている点で共通している。
　
ｆ．引用発明の「前記条件が満たされている場合」においては、乱数と、あらかじめ選定されている数値が一致しているから、該場合は、本願発明の「当選の場合」に相当している。
　また、引用発明の「標準的な数量よりも増量された数量」は、本願発明の「基本数量分」と「おまけとして付加して払い出す遊技媒体の数量」、すなわち「数量設定手段によって設定された数量」とを足したものに相当するから、引用発明の「貸出数量変更手段」と本願発明の「制御手段」は、“当選の場合には基本数量分と設定手段によって設定された数量とを足した数量の遊技媒体を払い出させる払出制御手段”である点で共通している。
　
　以上を総合すると、両者は、
「　遊技媒体の貸出処理毎に抽選を行うことができる遊技媒体貸出装置であって、
　表示部と、
　時刻を確認する時計手段と、
　抽選の当たりに対応して払い出す遊技媒体の数量についての設定手段と、
　当選確率の入力を事前に受け付ける確率設定手段と、
　前記抽選の当たりに対応して払い出す遊技媒体の数量、および前記確率設定手段で設定された当選確率を記憶する手段と、
　前記時計手段によって現在時刻を確認し、抽選を開始させ、その後抽選結果を確認し、前記表示部で抽選結果を表示させ、当選の場合には基本数量分と前記設定手段によって設定された数量とを足した数量の遊技媒体を払い出させる払出制御手段と
　を具備している遊技媒体貸出装置。」
の点で一致し、以下の点で相違している。
　
［相違点１］本願発明は「選択操作部および表示部を有する操作面」を具備しているのに対して、引用発明は「表示装置３」を備えるものの、本願発明の操作面に相当する構成を備えていない点。
　
［相違点２］“抽選の当たりに対応して払い出す遊技媒体の数量についての設定手段”に関して、本願発明の「数量設定手段」は、「遊技媒体を貸し出す基本数量分に抽選の当たりに対応しておまけとして付加して払い出す遊技媒体の数量の入力を受け付ける」のに対して、引用発明はそのような数量の入力を受け付けるか不明な点。
　
［相違点３］本願発明の「当選確率設定手段」は、時間帯別の当選確率の入力を事前に受け付けるのに対して、引用発明の「入力装置」は、あらかじめ選定されている数値が時間帯別に入力されるか明らかでない点。
　
［相違点４］本願発明の「記憶手段」は、時間帯別の当選確率を記憶するのに対し、引用発明の「データ記憶手段」は、時間帯別にあらかじめ選定されている数値を記憶するか明らかでない点。
　
［相違点５］本願発明は「前記時計手段によって現在時刻を確認し、現在時刻の時間帯に対応する当選確率を特定し、当該当選確率に基づいて抽選を開始」させているのに対して、引用発明は「取得した日時条件と、あらかじめ選定されている時間帯が一致すること」自体が条件の一つであり、時間帯に対応して乱数と、あらかじめ選定されている数値が一致するか否かの確率を特定するものではない点。
　
［相違点６］本願発明は「前記選択操作部の操作により基本数量分の遊技媒体の払い出しを開始させるとともに、」「抽選を開始させ、抽選中は前記表示部で抽選中であることを表示させ、基本数量分の遊技媒体の払い出しを完了した後に、抽選結果を確認し、前記表示部で抽選結果を表示させ、当選の場合には前記数量設定手段によって設定された数量の遊技媒体を追加して払い出させる」のに対して、引用発明は「前記遊技媒体の貸出の時点における前記条件が満たされているかいないかがわかる表示」を行うタイミング、「標準的な数量の遊技媒体を貸し出す」タイミング、及び「標準的な数量よりも増量された数量の遊技媒体を貸し出す」タイミングとの関係が明らかでなく、また、表示装置３で本願発明の「抽選中」に相当する表示を行うか明らかでない点。
　
３．当審の判断
［相違点１について］
　遊技媒体貸出装置において、遊技媒体の貸し出し希望額を選択するための操作部と表示部を装置前面に近接配置することは、例えば、特開平４−２４１８９３号公報（特に、段落【００１２】及び図２）、特開平５−１６８７５９号公報（特に、段落【００３４】、【００３６】及び図２）及び特開平６−２３１４０号公報（特に、段落【０００５】及び図１Ｂ）に記載されるように、従来周知の技術（以下「周知技術１」という。）であるから、引用発明に周知技術１を適用し、表示装置３に遊技媒体の貸し出し希望額を選択するための操作部を近接配置して、上記相違点１に係る本願発明のような構成とすることは、当業者が容易に想到し得る。
　
［相違点２について］
　遊技媒体貸出装置において、抽選の当たりに対応しておまけとして付加して払い出す遊技媒体の数量を可変設定できるようにすることは、例えば、実願昭５９−３７８０２号（実開昭６０−１４９６８１号）のマイクロフィルム（特に、明細書６頁１０〜１３行を参照。）や特開２００１−３１４５５５号公報（特に、段落【００２３】及び【００２４】を参照。）に記載されるように、従来周知の技術（以下「周知技術２」という。）であるから、引用発明に周知技術２を適用し、「増量された数量」に代えて、「増量された数量」から「標準的な数量」を引いた数量について可変設定できるようにして、上記相違点２に係る本願発明のような構成とすることは、当業者が容易に想到し得る。
　
［相違点３〜５について］
　相違点３〜５は互いに密接に関連しているので、合わせて検討する。
　特開平４−１８８７号公報（以下「引用文献Ｂ」という、特に、２頁左下欄６〜９行を参照。）には、「販売動作に連動して作動するゲーム装置３が当たりを出しておまけ商品を購入商品とは別に払い出す自動販売機において、前記ゲーム装置３の当選確率を時間帯により変更すること」（以下「引用文献Ｂ記載の技術」という。）が記載されている。
　そして、引用発明及び引用文献Ｂ記載の技術ともに、当たりが出るとおまけが追加される物品払出装置である点で共通しているから、引用発明に引用文献Ｂ記載の技術を適用し、引用発明の「入力装置」を時間帯別の当選確率が入力できるものとし、同「データ記憶手段」で入力された時間帯別の当選確率を記憶するようにし、遊技媒体の貸出の時点で取得した日時条件と、あらかじめ選定されている時間帯が一致するか否かによって、乱数と、あらかじめ選定されている数値が一致するか否かの確率を変更するようにして、上記相違点３〜５に係る本願発明のような構成とすることは、当業者が容易に想到し得る。
　
［相違点６について］
　引用文献Ｂには、従来の技術として「販売動作に連動して作動するゲーム装置を付けて景品を払い出すようにした自動販売機がある。これは第２図に示すように、商品払い出し装置１の運転を管理している販売制御部２にゲーム装置３を接続し、利用者が商品選択釦４を操作したタイミングに応じてゲーム装置本体５を運転し、ゲーム装置本体５の内部に設定されている当たり確率の範囲内で“当たり”を出して、販売制御部２に“おまけ商品”を購入商品とは別に払い出すように構成されている。」（１頁左下欄下から４行目〜同頁右下欄７行目）と記載され、また、実施例の説明において「ゲームの一回の時間は、18時〜翌日の12時までは利用者が指示したタイミング、例えば商品選択釦４を操作してから規定時間“ｔ０”秒でゲーム結果を決定し、12時〜当日の18時までは“ｔ０−ｔ”秒でゲーム結果を決定している。」（２頁右上欄８行目〜１３行目）と記載されている。
　そして、「ゲーム装置本体５を運転」するということは、ゲーム表示部６に所定の表示を行い（本願発明の「抽選中であることを表示させ」に相当）、規定時間後にゲーム結果を決定して表示することであり、また、“ｔ０”秒と“ｔ０−ｔ”秒の差は、利用者で混雑する時間帯に“ｔ０−ｔ”秒としているので、１回当たりの利用時間に影響を与える時間であることが明らかであるとともに、規定時間がごく短時間であると、利用者に期待感を持たせることはできないから、少なくとも“ｔ０”秒が商品を払い出す時間より短いことはないということができる。
　さらに、遊技媒体貸出装置において、抽選の当たりに対応しておまけとして付加して払い出す遊技媒体が抽選とは関係なく払い出される遊技媒体より遅れて払い出されるようにすることも、例えば、上記実願昭５９−３７８０２号（実開昭６０−１４９６８１号）のマイクロフィルム（特に、明細書４頁１９行〜同５頁１７行を参照。）や上記特開２００１−３１４５５５号公報（特に、段落【００３６】〜【００３９】を参照。）に記載されるように、従来周知の技術（以下「周知技術３」という。）である。
　上記引用文献Ｂに記載されている事項や、周知技術３を勘案すれば、引用発明に引用文献Ｂ記載の技術を適用するに際して、上記［相違点１について］の項で述べたように、表示装置３に遊技媒体の貸し出し希望額を選択するための操作部を近接配置し、該操作部を操作したタイミングで、標準的な数量の遊技媒体を貸し出すとともに、ゲーム装置本体５を運転してゲーム表示部６に所定の表示を行い、標準的な数量の貸し出しが完了した後である規定時間経過後にゲーム結果を表示して、ゲーム結果が当たりの場合には、おまけとして付加する数量の遊技媒体を貸し出すようにして、上記相違点６に係る本願発明のような構成とすることは、当業者が容易に想到し得る。
　
［相違点の判断のまとめ］
　本願発明の作用効果も、引用発明、引用文献Ｂ記載の技術及び周知技術１〜３から当業者が予測できる範囲のものである。
　したがって、本願発明は、引用発明、引用文献Ｂ記載の技術及び周知技術１〜３に基づいて、当業者が容易に発明をすることができたものである。
　
第四．むすび
　以上のとおり、本願発明は、引用発明、引用文献Ｂ記載の技術及び周知技術１〜３に基づいて、当業者が容易に発明をすることができたものであり、特許法第２９条第２項の規定により特許を受けることができないから、本願の他の請求項（請求項２及び３）について検討するまでもなく、本願は拒絶すべきものである。
　よって、結論のとおり審決する。